(57)【要約】【課題】ハウジングに対する濾過エレメントの着脱作業を短時間で容易に行うことができるとともに、優れた耐食性を有しながら、濾過エレメントをハウジング内の所定位置に確実に保持することが可能な構造を有するバケット型ストレーナーを提供すること。【解決手段】入液口及び出液口を有するハウジングと、該ハウジング内部に配設された筒状の濾過エレメントと、該濾過エレメントを前記ハウジング内の所定位置に保持する保持部材を備えており、前記ハウジングの内面にはフッ素樹脂被膜が形成されており、前記濾過エレメントはフッ素樹脂から形成されており、前記保持部材は、前記入液口から入った液体を内部に取り入れるための開口部を有し、その内部が前記濾過エレメントの内部と連通するフッ素樹脂製の筒状部材からなるとともに、その上端部が前記ハウジングの上蓋の下面に当接し且つ下端部が該濾過エレメントの上端部に当接しているフッ素樹脂コーティング製バケット型ストレーナーとする。【選択図】図１
2010269224.tif 000002
【特許請求の範囲】
【請求項１】
入液口及び出液口を有するハウジングと、
該ハウジング内部に配設された筒状の濾過エレメントと、
該濾過エレメントを前記ハウジング内の所定位置に保持する保持部材を備えており、
前記ハウジングの内面にはフッ素樹脂被膜が形成されており、
前記濾過エレメントはフッ素樹脂から形成されており、
前記保持部材は、前記入液口から入った液体を内部に取り入れるための開口部を有し、その内部が前記濾過エレメントの内部と連通するフッ素樹脂製の筒状部材からなるとともに、その上端部が前記ハウジングの上蓋の下面に当接し且つ下端部が該濾過エレメントの上端部に当接していることを特徴とするフッ素樹脂コーティング製バケット型ストレーナー。
【請求項２】
前記濾過エレメントは、
側面に多数の孔を有するフッ素樹脂製の有孔筒状体と、
該有孔筒状体の内面に沿うように配設されたフッ素樹脂製の筒状網体からなる
ことを特徴とする請求項１記載のフッ素樹脂コーティング製バケット型ストレーナー。
【請求項３】
前記濾過エレメントと前記保持部材の境界面は、前記ハウジングの入液口側から出液口側に向けて上向きに傾斜しており、
前記保持部材の開口部は、前記入液口側において、該保持部材の下端部まで至るようにアーチ状に切り欠かれている
ことを特徴とする請求項１又は２記載のフッ素樹脂コーティング製バケット型ストレーナー。
【請求項４】
前記保持部材は、上端部にフランジを有しており、
該フランジが、前記ハウジングの上端部に形成されたフランジと前記上蓋との間に挟持されていることを特徴とする請求項１乃至３いずれかに記載のフッ素樹脂コーティング製バケット型ストレーナー。
【請求項５】
前記保持部材は、上端部に平ナットがボルトにより螺着されており、
該平ナットの上面が、前記上蓋の下面に当接していることを特徴とする請求項１乃至３いずれかに記載のフッ素樹脂コーティング製バケット型ストレーナー。
【請求項６】
前記保持部材は、上端部に撓み変形可能な中空部材が取り付けられており、
該中空部材の上面が、前記上蓋の下面に当接していることを特徴とする請求項１乃至３いずれかに記載のフッ素樹脂コーティング製バケット型ストレーナー。
【請求項７】
前記保持部材の外側面と前記ハウジング内面との間にリング状のガイド部材が介装されていることを特徴とする請求項５又は６記載のフッ素樹脂コーティング製バケット型ストレーナー。
【請求項８】
前記有孔筒状体は、上端部にフランジを有しており、
該フランジは、下方に形成された大径部と、該大径部の上方に載置された小径部を有し、
前記筒状網体の上端部は、前記大径部の上面と前記小径部の下面との間に挟持され、
前記小径部の上面が、前記保持部材の下端部に当接している
ことを特徴とする請求項２乃至７いずれかに記載のフッ素樹脂コーティング製バケット型ストレーナー。
【請求項９】
前記有孔筒状体が、下端部を塞ぐ下蓋部材を備えており、
該下蓋部材は、円板状部材と、該円板状部材の外周を囲うように配設された円環状部材とからなり、
前記筒状網体の下端部は、前記円板状部材の外周面と前記円環状部材の内周面との間に挟持されている
ことを特徴とする請求項２乃至８いずれかに記載のフッ素樹脂コーティング製バケット型ストレーナー。
【請求項１０】
前記ハウジングは、その内面に前記有孔筒状体の上端部のフランジ下面を支持する突出支持部を有しており、
該突出支持部と前記ハウジング内面とがなす鋭角部に、内面側がアール状に形成された隅肉溶接が施されている
ことを特徴とする請求項２乃至９いずれかに記載のフッ素樹脂コーティング製バケット型ストレーナー。
【発明の詳細な説明】
【技術分野】
【０００１】
本発明はバケット型ストレーナーに関し、より詳しくは、強酸や強アルカリ等の腐食性液体の処理のために好適に使用される、接液部分がフッ素樹脂からなるフッ素樹脂コーティング製バケット型ストレーナーに関する。
【背景技術】
【０００２】
一般的に、配管を通して液体を順次流通させながら処理する化学プラント等の処理設備においては、処理液中に含まれる不純物等の固形分を捕捉回収するために、各種のストレーナーが広く使用されている。
各種ストレーナーのうち、バケット型ストレーナーは、ハウジング内部に配設される濾過エレメントを上方に抜き取ることができる構造を有していることから、捕捉された固形物の回収等を容易に行うことができる。
【０００３】
図７は、従来のバケット型ストレーナーの一例を示す断面図である。
図７に示すバケット型ストレーナーは、入液口（Ａ）と出液口（Ｂ）を有するハウジング（Ｃ）の内部に、パンチングメタルからなる円筒形状の濾過エレメント（Ｄ）を配設した構造を有している。
濾過エレメント（Ｄ）は上端部にフランジ（Ｅ）を有しており、ハウジング（Ｃ）の内面にはフランジ（Ｅ）を下方から支持する突出部（Ｆ）が形成されている。そして、濾過エレメント（Ｄ）は、上蓋（Ｇ）の下面にボルトとナットを用いて固定されたバネ（Ｈ）によって上方から押圧されることにより、ハウジング（Ｃ）内の所定位置に保持されている。
【０００４】
しかしながら、このようなバケット型ストレーナーは、濾過エレメント（Ｄ）をハウジング（Ｃ）から取り出すためには、ボルトとナットを外さなければならない。また、濾過エレメント（Ｄ）をハウジング（Ｃ）内に設置するためには、ボルトとナットを取り付けなければならない。そのため、ハウジング（Ｃ）に対する濾過エレメント（Ｄ）の着脱作業を短時間で簡単に行うことができなかった。
【０００５】
また、上記バケット型ストレーナーは、ＳＵＳ等の金属製のバネ（Ｈ）により濾過エレメント（Ｄ）を押圧保持しているため、強酸や強アルカリ等の腐食性液体の処理のために使用することはできなかった。
【０００６】
強酸や強アルカリ等の腐食性液体による腐食を防止するための技術としては、接液部分をフッ素樹脂としたストレーナーが知られている（下記特許文献１参照）。
しかし、上記バケット型ストレーナーにおいて濾過エレメント（Ｄ）を押圧するバネ（Ｈ）は、金属等の高剛性素材から形成する必要があるため、フッ素樹脂を用いることはできない。つまり、下記特許文献１の開示技術によっては、上記バケット型ストレーナーが有する課題を解決することはできない。
【０００７】
また、下記特許文献１には、濾過エレメントを、有孔の支持筒と筒状網体の二重構造とする構成が開示されているが、筒状網体を支持筒内面に沿って固定する固定強度が充分ではないため、逆洗の繰り返し等によって筒状網体が支持筒から外れる虞があった。
【０００８】
また、上記バケット型ストレーナーは、ハウジング（Ｃ）の内面と突出部（Ｆ）との接合部分（Ｉ）が鋭角状となっているため、ハウジング内面にフッ素樹脂コーティングを施したとしても、当該鋭角状の接合部分（Ｉ）にはフッ素樹脂被膜を形成することが困難であった。
【先行技術文献】
【特許文献】
【０００９】
【特許文献１】実公昭６１−１９７７０号公報
【発明の概要】
【発明が解決しようとする課題】
【００１０】
本発明は、上記したような従来技術の問題点を解決すべくなされたものであって、ハウジングに対する濾過エレメントの着脱作業を短時間で容易に行うことができるとともに、優れた耐食性を有しながら、濾過エレメントをハウジング内の所定位置に確実に保持することが可能な構造を有するフッ素樹脂コーティング製バケット型ストレーナーを提供するものである。
【課題を解決するための手段】
【００１１】
請求項１に係る発明は、入液口及び出液口を有するハウジングと、該ハウジング内部に配設された筒状の濾過エレメントと、該濾過エレメントを前記ハウジング内の所定位置に保持する保持部材を備えており、前記ハウジングの内面にはフッ素樹脂被膜が形成されており、前記濾過エレメントはフッ素樹脂から形成されており、前記保持部材は、前記入液口から入った液体を内部に取り入れるための開口部を有し、その内部が前記濾過エレメントの内部と連通するフッ素樹脂製の筒状部材からなるとともに、その上端部が前記ハウジングの上蓋の下面に当接し且つ下端部が該濾過エレメントの上端部に当接していることを特徴とするフッ素樹脂コーティング製バケット型ストレーナーに関する。
【００１２】
請求項２に係る発明は、前記濾過エレメントは、側面に多数の孔を有するフッ素樹脂製の有孔筒状体と、該有孔筒状体の内面に沿うように配設されたフッ素樹脂製の筒状網体からなることを特徴とする請求項１記載のフッ素樹脂コーティング製バケット型ストレーナーに関する。
【００１３】
請求項３に係る発明は、前記濾過エレメントと前記保持部材の境界面は、前記ハウジングの入液口側から出液口側に向けて上向きに傾斜しており、前記保持部材の開口部は、前記入液口側において、該保持部材の下端部まで至るようにアーチ状に切り欠かれていることを特徴とする請求項１又は２記載のフッ素樹脂コーティング製バケット型ストレーナーに関する。
【００１４】
請求項４に係る発明は、前記保持部材は、上端部にフランジを有しており、該フランジが、前記ハウジングの上端部に形成されたフランジと前記上蓋との間に挟持されていることを特徴とする請求項１乃至３いずれかに記載のフッ素樹脂コーティング製バケット型ストレーナーに関する。
【００１５】
請求項５に係る発明は、前記保持部材は、上端部に平ナットがボルトにより螺着されており、該平ナットの上面が、前記上蓋の下面に当接していることを特徴とする請求項１乃至３いずれかに記載のフッ素樹脂コーティング製バケット型ストレーナーに関する。
【００１６】
請求項６に係る発明は、前記保持部材は、上端部に撓み変形可能な中空部材が取り付けられており、該中空部材の上面が、前記上蓋の下面に当接していることを特徴とする請求項１乃至３いずれかに記載のフッ素樹脂コーティング製バケット型ストレーナーに関する。
【００１７】
請求項７に係る発明は、前記保持部材の外側面と前記ハウジング内面との間にリング状のガイド部材が介装されていることを特徴とする請求項５又は６記載のフッ素樹脂コーティング製バケット型ストレーナーに関する。
【００１８】
請求項８に係る発明は、前記有孔筒状体は、上端部にフランジを有しており、該フランジは、下方に形成された大径部と、該大径部の上方に載置された小径部を有し、前記筒状網体の上端部は、前記大径部の上面と前記小径部の下面との間に挟持され、前記小径部の上面が、前記保持部材の下端部に当接していることを特徴とする請求項２乃至７いずれかに記載のフッ素樹脂コーティング製バケット型ストレーナーに関する。
【００１９】
請求項９に係る発明は、前記有孔筒状体が、下端部を塞ぐ下蓋部材を備えており、該下蓋部材は、円板状部材と、該円板状部材の外周を囲うように配設された円環状部材とからなり、前記筒状網体の下端部は、前記円板状部材の外周面と前記円環状部材の内周面との間に挟持されていることを特徴とする請求項２乃至８いずれかに記載のフッ素樹脂コーティング製バケット型ストレーナーに関する。
【００２０】
請求項１０に係る発明は、前記ハウジングは、その内面に前記有孔筒状体の上端部のフランジ下面を支持する突出支持部を有しており、該突出支持部と前記ハウジング内面とがなす鋭角部に、内面側がアール状に形成された隅肉溶接が施されていることを特徴とする請求項２乃至９いずれかに記載のフッ素樹脂コーティング製バケット型ストレーナーに関する。
【発明の効果】
【００２１】
請求項１に係る発明によれば、保持部材が、入液口から入った液体を内部に取り入れるための開口部を有し、その内部が濾過エレメントの内部と連通するフッ素樹脂製の筒状部材からなるとともに、その上端部がハウジングの上蓋の下面に当接し且つ下端部が該濾過エレメントの上端部に当接しているため、従来のようにボルトやナットを必要とせずに、濾過エレメントをハウジング内の所定位置に保持することができる。これにより、ハウジングに対する濾過エレメントの着脱作業時に、ボルトやナットの取り付け・取り外し作業が不要となり、着脱作業を短時間で容易に行うことができ、メンテナンス等の作業効率を大きく向上させることが可能となる。
また、保持部材がフッ素樹脂から形成されており、加えてハウジングの内面にフッ素樹脂被膜が形成され、濾過エレメントもフッ素樹脂から形成されているため、非常に耐食性に優れている。
更に、保持部材が筒状に形成されているため、その下端部で濾過エレメントの上端部を確実に押さえることができるとともに、保持部材の強度（剛性）においても優れたものとなる。
【００２２】
請求項２に係る発明によれば、濾過エレメントは、側面に多数の孔を有する有孔筒状体と、該有孔筒状体の内面に沿うように配設された筒状網体からなるため、筒状網体と有孔筒状体の二段階での濾過が可能となり、濾過能力に優れたものとなる。また、有孔筒状体と筒状網体の両方がフッ素樹脂製であるため、耐食性にも非常に優れている。
【００２３】
請求項３に係る発明によれば、濾過エレメントと保持部材の境界面が、ハウジングの入液口側から出液口側に向けて上向きに傾斜しており、保持部材の開口部が入液口側において保持部材の下端部まで至るように切り欠かれているため、保持部材の高さを低く抑えながら開口部の面積を大きくとることができ、コンパクトでありながら処理能力の高いストレーナーとなる。
更には、開口部がアーチ状に切り欠かれているため、開口部の面積を大きくとりながら保持部材の上方からの押圧力に対する強度を高くすることができ、フッ素樹脂製の保持部材の変形等が生じることが防止される。
【００２４】
請求項４に係る発明によれば、保持部材は上端部にフランジを有しており、該フランジがハウジングの上端部に形成されたフランジと上蓋との間に挟持されていることにより、ボルトやナットを使用することなく、保持部材を所定位置に位置決めしながら上蓋により下方に押圧することができる。
【００２５】
請求項５に係る発明によれば、保持部材は上端部に平ナットがボルトにより螺着されており、該平ナットの上面が上蓋の下面に当接していることにより、平ナットを介して保持部材を上蓋により下方に押圧することができる。
また、平ナットを回転させて上下方向に移動させる或いは厚さの異なる平ナットに交換することにより、保持部材の高さを調整することができるため、濾過エレメントに対する押圧力を調整することが可能となる。
【００２６】
請求項６に係る発明によれば、保持部材は上端部に撓み変形可能な中空部材が取り付けられており、該中空部材の上部が上蓋の下面に当接していることにより、撓み変形させた中空部材の復元力を利用して、保持部材を下方に押圧して濾過エレメントを保持することができる。
【００２７】
請求項７に係る発明によれば、保持部材の外側面とハウジング内面との間にリング状のガイド部材が介装されているため、保持部材を適当な位置に精度良く確実に位置決めすることが可能となる。
【００２８】
請求項８に係る発明によれば、有孔筒状体は上端部にフランジを有しており、該フランジは下方に形成された大径部と該大径部の上方に載置された小径部を有し、筒状網体の上端部は大径部の上面と小径部の下面との間に挟持され、小径部の上面が保持部材の下端部に当接していることにより、筒状網体の上端部を有孔筒状体の上端部に対して強固に固定することができ、逆洗の繰り返し等によって筒状網体が有孔筒状体から外れる虞がない。
【００２９】
請求項９に係る発明によれば、有孔筒状体が下端部を塞ぐ下蓋部材を備えており、該下蓋部材は円板状部材と該円板状部材の外周を囲うように配設された円環状部材とからなり、筒状網体の下端部は円板状部材の外周面と前記円環状部材の内周面との間に挟持されていることにより、筒状網体の下端部を有孔筒状体の下端部に対して強固に固定することができ、逆洗の繰り返し等によって筒状網体が有孔筒状体から外れる虞がない。
【００３０】
請求項１０に係る発明によれば、ハウジングはその内面に有孔筒状体の上端部のフランジ下面を支持する突出支持部を有しており、該突出支持部とハウジング内面とがなす鋭角部に内面側がアール状に形成された隅肉溶接が施されているため、突出支持部とハウジング内面との接合部分に対してフッ素樹脂被膜を確実に形成することができる。
【図面の簡単な説明】
【００３１】
【図１】本発明に係るフッ素樹脂コーティング製バケット型ストレーナーの第一実施形態を示す断面図である。
【図２】本発明に係るフッ素樹脂コーティング製バケット型ストレーナーの第一実施形態の要部分解斜視図である。
【図３】突出支持部とハウジング内面との接合部分を示す拡大図である。
【図４】有孔筒状体に対する筒状網体の固定方法を示す断面図である。
【図５】本発明に係るフッ素樹脂コーティング製バケット型ストレーナーの第二実施形態を示す断面図である。
【図６】本発明に係るフッ素樹脂コーティング製バケット型ストレーナーの第三実施形態を示す断面図である。
【図７】従来のバケット型ストレーナーの一例を示す断面図である。
【発明を実施するための形態】
【００３２】
以下、本発明に係るフッ素樹脂コーティング製バケット型ストレーナーの好適な実施形態について、図面を参照しながら説明する。
図１は本発明に係るフッ素樹脂コーティング製バケット型ストレーナーの第一実施形態を示す断面図であり、図２はその要部分解斜視図である。
本発明に係るフッ素樹脂コーティング製バケット型ストレーナーは、ハウジング（１）と、ハウジング（１）の内部に配設された筒状の濾過エレメント（２）と、濾過エレメント（２）をハウジング内の所定位置に保持する保持部材（３）を備えている。
【００３３】
ハウジング（１）は、円筒状に形成されており、処理前の液体を内部に取り入れるための入液口（１１）と、処理後の液体を外部に取り出すための出液口（１２）を有している。入液口（１１）及び出液口（１２）は、ハウジング（１）の上下方向（高さ方向）の略中間位置において、左右方向に同一軸線上に設けられている。
ハウジング（１）の上端部及び下端部には、夫々、上フランジ（１３）及び下フランジ（１４）が形成されている。上フランジ（１３）の上部には、ボルト及びナットを用いて円板状の上蓋（１５）が固定されている。下フランジ（１４）の下部には、ボルト及びナットを用いてフランジを有する管路（１６）が固定されている。尚、図１において、ボルト及びナットは一点鎖線で省略して表されている。
【００３４】
ハウジング（１）（上蓋（１５）及び管路（１６）を含む）は、ステンレス鋼等の金属製部材から形成されており、その内面（接液面）には全面に亘ってフッ素樹脂被膜が形成されている。これにより、強酸や強アルカリ等の腐食性液体を処理した場合でも、ハウジング（１）内面が腐食することがない。
フッ素樹脂被膜を形成するフッ素樹脂の種類としてはＰＴＦＥが好適に使用され、フッ素樹脂被膜の厚みは３００〜６００μｍとすることが好ましい。
【００３５】
ハウジング（１）は、その内面の上下方向の中間位置付近に、後述する有孔筒状体（２１）の上端部のフランジ下面を支持する突出支持部（１７）を有している。
突出支持部（１７）は、楕円環状のシートリングをハウジング内面に溶接することにより形成されている。尚、図１において、黒く塗り潰した部分が溶接部分である。
突出支持部（１７）を形成するシートリングは、図示の如く、ハウジングの入液口（１１）側から出液口（１２）側に向けて上向きに傾斜するように溶接されている。そのため、突出支持部（１７）とハウジング内面との接合部分に鋭角部が形成される。
鋭角部（１８）には、図３に示すように、内面側がアール状に形成された隅肉溶接が施されている。また、入液口（１１）及び出液口（１２）に至る分岐部（１９）の内面もアール状に形成されている。
このように、フッ素樹脂によるコーティングが施しにくい角部分にアール状部分を形成することにより、ハウジング（１）の内面全体に亘ってフッ素樹脂被膜を確実に形成することができる。
【００３６】
濾過エレメント（２）は、側面に多数の孔を有する有孔筒状体（２１）と、有孔筒状体（２１）の内面に沿うように配設された筒状網体（２２）とからなる。尚、図２においては、有孔筒状体（２１）の一部を切り欠いて筒状網体（２２）を示している。
有孔筒状体（２１）及び筒状網体（２２）は、いずれもフッ素樹脂製であり、好適にはＰＴＦＥ製である。これにより、強酸や強アルカリ等の腐食性液体を処理した場合でも、濾過エレメント（２）が腐食することがない。
【００３７】
筒状網体（２２）の網目の大きさは、有孔筒状体（２１）の孔径よりも小さく設定されている。これにより、処理液体中に含まれる有孔筒状体（２１）では捕捉できない小さい固形物を、筒状網体（２２）にて捕捉することができ、濾過能力に優れたものとなる。
【００３８】
有孔筒状体（２１）は、上端部にフランジ（２１１）を有している。
フランジ（２１１）は、下方に形成された大径部（２１１ａ）と、大径部（２１１ａ）の上方に載置された小径部（２１１ｂ）を有している。
筒状網体（２２）の上端部は、図４に示すように、大径部（２１１ａ）の上面と小径部（２１１ｂ）の下面との間に挟持されている。
小径部（２１１ｂ）の上面には保持部材（３）の下端部が当接し、これによって保持部材（３）からの押圧力（後述する）が小径部（２１１ｂ）を下向きに押す力として作用する。そのため、筒状網体（２２）の上端部が大径部（２１１ａ）と小径部（２１１ｂ）の間にしっかりと挟持される。
小径部（２１１ｂ）は、保持部材（３）により押さえられるため大径部（２１１ａ）の上部に載置するのみでもよいが、筒状網体（２２）の上端部を挟持した状態で大径部（２１１ａ）に接合してもよい。
【００３９】
また、有孔筒状体（２１）は、下端部を塞ぐ下蓋部材（２１２）を備えている。
下蓋部材（２１２）は、上下方向の貫通孔を有する円板状部材（２１２ａ）と、円板状部材（２１２ａ）の外周を囲うように配設された円環状部材（２１２ｂ）とからなり、これらの部材は有孔筒状体（２１）の下端部に嵌着されている（図４参照）。
筒状網体（２２）の下端部は、図４に示すように、円板状部材（２１２ａ）の外周面と、円環状部材（２１２ｂ）の内周面との間に挟持されている。これにより、筒状網体（２２）の下端部が円板状部材（２１２ａ）と円環状部材（２１２ｂ）の間にしっかりと挟持される。
【００４０】
上記したように、筒状網体（２２）の上端部及び下端部が有孔筒状体（２１）に対してしっかりと挟持固定されることにより、逆洗の繰り返し等によって筒状網体（２２）が有孔筒状体（２１）から外れる虞がない。
【００４１】
保持部材（３）は、ハウジング（１）の入液口（１１）から入った液体を内部に取り入れるための開口部（３１）を有し、その内部が濾過エレメント（２）の内部と連通する円筒状部材からなる。
保持部材（３）はフッ素樹脂製、好適にはＰＴＦＥ製であって、例えばＰＴＦＥ製の丸棒から削り出すことにより製造される。
【００４２】
保持部材（３）は、上端部にフランジ（３２）を有している。
フランジ（３２）は、図１に示すように、ハウジング（１）の上フランジ（１３）と上蓋（１５）との間に挟持されている。この状態において、保持部材（３）は、上端部（フランジ（３２）の上面）が上蓋（１５）の下面に当接し且つ下端部が濾過エレメント（２）の上端部に当接する。これにより、濾過エレメント（２）は下方に押圧され、フランジ（２１１）が突出支持部（１７）により支持され、ハウジング（１）内の所定位置に保持されることとなる。
【００４３】
ここで、保持部材（３）は、上蓋（１５）の下面に対して当接しているのみで固定されておらず、濾過エレメント（２）の上端部に対しても当接しているのみで固定されていない。そのため、上蓋（１５）を取り外すと、保持部材（３）及び濾過エレメント（２）を順次ハウジング（１）から上方に簡単に取り出すことができる。また、ハウジング（１）内に保持部材（３）及び濾過エレメント（２）を設置することも容易である。
【００４４】
濾過エレメント（２）と保持部材（３）の境界面（即ち、濾過エレメント（２）の上端面と保持部材（３）の下端面）は、ハウジング（１）の入液口（１１）側から出液口（１２）側に向けて上向きに傾斜している。
これにより、入液口（１１）からハウジング（１）内に入った液体を、保持部材（３）の開口部（３１）から確実に取り入れて、濾過エレメント（２）の内部へと円滑に導くことが可能である。
【００４５】
保持部材（３）の開口部（３１）は、入液口（１１）側において保持部材の下端部まで至るようにアーチ状に切り欠かれている（図２参照）。
このように、開口部（３１）が入液口（１１）側において保持部材（３）の下端部まで至るように切り欠かれていることにより、上述した傾斜と相俟って、保持部材の高さを低く抑えながら開口部の面積を大きくとることができ、コンパクトでありながら処理能力の高いストレーナーとなる。
更に、開口部（３１）がアーチ状に形成されているため、保持部材（３）の上方からの押圧力に対する強度が高くなる。保持部材（３）はフッ素樹脂製であるために素材自体の剛性は低いが、このように開口部（３１）をアーチ状に形成することにより、開口部面積を大きくとりながら保持部材の強度を高く維持することが可能となり、押圧力により保持部材の変形等が生じることが防止される。
【００４６】
図５は本発明に係るフッ素樹脂コーティング製バケット型ストレーナーの第二実施形態を示す断面図である。
以下、第二実施形態のフッ素樹脂コーティング製バケット型ストレーナーが上述した第一実施形態のものと異なる点についてのみ説明し、同じ構成には同じ符号を付して説明を省略する。
第二実施形態のフッ素樹脂コーティング製バケット型ストレーナーは、保持部材（３）の上端部にフランジが形成されておらず、代わりに平ナット（３３）がボルト（３４）により螺着されている。
具体的には、保持部材（３）の上端部は、円板状の蓋体（３５）により塞がれており、蓋体（３５）には上下方向の貫通孔が形成され、この貫通孔にボルト（３４）が挿通されている。ボルト（３４）のネジ部は蓋体（３５）の上部に突出し、このネジ部に平ナット（３３）が螺着されている。
ボルト（３４）及び平ナット（３３）はいずれもフッ素樹脂製である。
【００４７】
上フランジ（１３）の上部にはボルト及びナット（一点鎖線で示す）を用いて円板状の上蓋（１５）が固定される。この状態において、保持部材（３）は、上端部（平ナット（３３）の上面）が上蓋（１５）の下面に当接し且つ下端部が濾過エレメント（２）の上端部に当接する。これにより、濾過エレメント（２）は下方に押圧され、フランジ（２１１）が突出支持部（１７）により支持され、ハウジング（１）内の所定位置に保持されることとなる。
【００４８】
ここで、保持部材（３）は、第一実施形態の場合と同様に、上蓋（１５）の下面に対して当接しているのみで固定されておらず、濾過エレメント（２）の上端部に対しても当接しているのみで固定されていない。そのため、上蓋（１５）を取り外すと、保持部材（３）及び濾過エレメント（２）を順次ハウジング（１）から上方に簡単に取り出すことができる。また、ハウジング（１）内に保持部材（３）及び濾過エレメント（２）を設置することも容易である。
【００４９】
加えて、第二実施形態の場合は、平ナット（３３）を回転させて上下方向に移動させる或いは厚さの異なる平ナット（３３）に交換することにより、保持部材（３）の高さを調整することができる。そのため、濾過エレメント（２）に対する押圧力を調整することが可能となる。
尚、平ナット（３３）は、上面が平面状であるため、上蓋（１５）の下面に当接してもフッ素樹脂被膜に傷が付きにくい。特に、図示のように、普通のナットに比べて表面積が大きいものとすると、接触面積が大きくなるために、より傷が付きにくくなる。
【００５０】
保持部材（３）の外側面とハウジング（１）の内面との間には、リング状のガイド部材（４）が介装されている。
これにより、保持部材（３）をハウジング（１）内の適当な位置に精度良く確実に位置決めすることが可能となる。尚、第一実施形態の場合は、フランジ（３２）が挟持されることで保持部材（３）が位置決めされるため、ガイド部材（４）を必要としない。
【００５１】
図６は本発明に係るフッ素樹脂コーティング製バケット型ストレーナーの第三実施形態を示す断面図である。
以下、第三実施形態のフッ素樹脂コーティング製バケット型ストレーナーが上述した第一実施形態のものと異なる点についてのみ説明し、同じ構成には同じ符号を付して説明を省略する。
第三実施形態のフッ素樹脂コーティング製バケット型ストレーナーは、保持部材（３）の上端部にフランジが形成されておらず、代わりに撓み変形可能な中空部材（５）が取り付けられている。
具体的には、保持部材（３）の上端部は、円板状の蓋体（３５）により塞がれており、蓋体（３５）には上下方向の貫通孔が形成され、この貫通孔にボルト（３４）が挿通されている。ボルト（３４）のネジ部は蓋体（３５）の上部に突出し、このネジ部に平ナット（３３）が螺着され、この平ナット（３３）を貫通したネジ部の上端部に中空部材（５）が固定されている。
ボルト（３４）、平ナット（３３）、中空部材（５）はいずれもフッ素樹脂製である。
【００５２】
中空部材（５）は、短尺のパイプ又は球体からなる。
上フランジ（１３）の上部にはボルト及びナット（一点鎖線で示す）を用いて円板状の上蓋（１５）が固定される。この状態において、保持部材（３）は、上端部（中空部材（５）の上面）が上蓋（１５）の下面に当接し且つ下端部が濾過エレメント（２）の上端部に当接する。これにより、濾過エレメント（２）は下方に押圧され、フランジ（２１１）が突出支持部（１７）により支持された状態で、ハウジング（１）内の所定位置に保持されることとなる。
【００５３】
ここで、保持部材（３）は、第一実施形態の場合と同様に、上蓋（１５）の下面に対して当接しているのみで固定されておらず、濾過エレメント（２）の上端部に対しても当接しているのみで固定されていない。そのため、上蓋（１５）を取り外すと、保持部材（３）及び濾過エレメント（２）を順次ハウジング（１）から上方に簡単に取り出すことができる。また、ハウジング（１）内に保持部材（３）及び濾過エレメント（２）を配置することも容易である。
【００５４】
加えて、第三実施形態の場合は、撓み変形させた中空部材（５）の復元力を利用することができるため、適度な押圧力により保持部材（３）を下方に押圧して濾過エレメント（２）を保持することができる。
【００５５】
保持部材（３）の外側面とハウジング（１）の内面との間には、第二実施形態と同様に、リング状のガイド部材（４）が介装されている。
これにより、保持部材（３）をハウジング（１）内の適当な位置に精度良く確実に位置決めすることが可能となる。
【産業上の利用可能性】
【００５６】
本発明に係るフッ素樹脂コーティング製バケット型ストレーナーは、プロセス反応釜等で生成した固形生成物の除去や、攪拌槽における未反応固形物の回収等の目的に利用することが可能である。
【符号の説明】
【００５７】
１        ハウジング
１１      入液口
１２      出液口
１３      フランジ（上フランジ）
１５      上蓋
１７      突出支持部
１８      鋭角部
２        濾過エレメント
２１      有孔筒状体
２１１    フランジ
２１１ａ  大径部
２１１ｂ  小径部
２２      筒状網体
３        保持部材
３１      開口部
３２      フランジ
３３      平ナット
３４      ボルト
４        リング状のガイド部材
５        中空部材
【図１】
2010269224.tif 000003
【図２】
2010269224.tif 000004
【図３】
2010269224.tif 000005
【図４】
2010269224.tif 000006
【図５】
2010269224.tif 000007
【図６】
2010269224.tif 000008
【図７】
2010269224.tif 000009